(57)【特許請求の範囲】
【請求項１】
投入された貨幣の金額に応じた金額情報が書き込まれるＩＣコインを用いて、隣設する遊技機に用いられる遊技媒体を貸し出す遊技機用ＩＣコイン処理装置であって、
遊技利用するプレーヤの操作面を前面に有し、この操作面に突出形成される視認部を形成するとともに操作面内側にＩＣコインを保持して回転移動するロータを内蔵し、
前記視認部は、前記ロータに保持されて一体に回転するＩＣコイン外周部の移動軌跡に沿う円弧形突出窓に形成され、
前記円弧形突出窓は、内面に前記ロータの回転軌跡に沿ってＩＣコインの外周部を通過ガイドする円弧形凹溝を形成し、
前記ロータにＩＣコインを保持させた状態で前記ロータの回転軌跡上の位置であって操作部からＩＣコインを視認可能な位置へ移動させてなることを特徴とする
遊技機用ＩＣコイン処理装置。
【請求項２】
前記視認部を透明部材で形成した
請求項１記載の遊技機用ＩＣコイン処理装置。
【請求項３】
請求項１または２記載の遊技機用ＩＣコイン処理装置を備えて構成した台間機。
【発明の詳細な説明】
【０００１】
【発明が属する技術分野】
この発明は、例えばパチンコ遊技場（遊技ホール）において、パチンコ機あるいはパチスロ機（スロットマシン）などの遊技機に使用されるパチンコ球やメダルを貸出す場合に使用される遊技機用ＩＣコインの処理装置に関し、さらに詳しくはプレーヤが外部よりＩＣコインの発行状態を明瞭に確認できるようにした遊技機用ＩＣコイン処理装置および台間機に関する。
【０００２】
【従来の技術】
一般に、パチンコ遊技場などの遊技ホールに設置される遊技機は、現金の管理を容易化するために、プレーヤに記憶媒体の一種であるプリペイドカードを発行し、該カードに記憶された金額価値データからゲームをプレイする都度、メダル利用分を減額している。
【０００３】
このプリペイドカードは、遊技ホール内の専用販売機から購入させているが、このプリペイドカードの金額価値がなくなると、プレーヤは席を立って再び専用販売機で新たにプリペイドカードを再購入する必要があり、このためにプレーヤは、しばしば遊技の中断を余儀なくされていた。
【０００４】
このため、プリペイドカード発行機を備えた台間機を遊技機に隣設することが図られているが、この場合はプリペイドカードの購入操作と、このプリペイドカードを受取って、遊技機に投入する投入操作とを要して操作が煩雑になり、また同カードの金額価値がなくなると廃棄されてしまう消耗品として扱われており、カードが十分に有効利用されなかった。
【０００５】
近年、上述のカードの再利用を図ったリサイクルタイプの遊技カードが提案されている（例えば実開平５−２１９８９号公報参照）。
このリサイクルタイプの遊技カードは金額価値が残少あるいは無くなると、貨幣を投入させ、その投入された金額分の金額価値情報を遊技カードに付加すべく再度書込んで再利用するものである。
【０００６】
【発明が解決しようとする課題】
しかし、この遊技操作面にセットされた遊技カードは金額価値情報が与えられた時点からプレーヤによって抜取り自由な構成であり、プレーヤが遊技機を移動するときに抜取られることがあるため、抜出された遊技機に対しては、係員が新たな遊技カードを補充セットして次客に備える必要があるが、遊技ホール内の多数の遊技機のそれぞれに対して１枚ずつ補充セットする必要があるため手間がかかり運営管理上不適であった。
【０００７】
さらに、上記抜き取り部分には透明カバーを設け、抜き取り工夫もなされている。しかしながら、この場合はカードを抜き取りする場合の操作が面倒になっていた。
【０００８】
また、カードは磁気カードなどが多いためプレーヤの取扱い操作によっては不測に折れ曲ったり、大きく弯曲して破損することがあり、外力によって簡単に変形破損してしまう。このような遊技カードが用いられるとカードの読取り時、書込み時にエラーが生じ易く、プレーに支障をきたす恐れがあった。
【０００９】
そこでこの発明は、ＩＣコインの発行ができるとともに発行されたＩＣコインの視認性を高めることができる遊技機用ＩＣコイン処理装置および台間機の提供を目的とする。
【００１０】
【課題を解決するための手段】
この発明は、投入された貨幣の金額に応じた金額情報が書き込まれるＩＣコインを用いて、隣設する遊技機に用いられる遊技媒体を貸し出す遊技機用ＩＣコイン処理装置であって、遊技利用するプレーヤの操作面を前面に有し、この操作面に突出形成される視認部を形成するとともに操作面内側にＩＣコインを保持して回転移動するロータを内蔵し、前記視認部は、前記ロータに保持されて一体に回転するＩＣコイン外周部の移動軌跡に沿う円弧形突出窓に形成され、前記円弧形突出窓は、内面に前記ロータの回転軌跡に沿ってＩＣコインの外周部を通過ガイドする円弧形凹溝を形成し、前記ロータにＩＣコインを保持させた状態で前記ロータの回転軌跡上の位置であって操作部からＩＣコインを視認可能な位置へ移動させてなることを特徴とする。
【００１１】
ここで、操作面とは、プレーヤが操作する装置の接客面側であり、ここに貨幣投入口、表示器、コイン投入口、コイン確認部、返却口、返却ボタンなどを備えて構成する。
【００１２】
上述のＩＣコインとは、非接触にデータ通信するデータ送受信用のアンテナ、モデム、データの記憶部を内蔵して円形のコイン状に形成し、このコインのデータを遊技機におけるパチンコ球やメダルの払出し用に設定している。
【００１３】
上述のロータとは、モータの回転力を受けて回転する円板であり、この円板の外周面にＩＣコインを収納保持可能な凹部を切欠いて、ロータと一体にＩＣコインを回転移動させることができる。
【００１４】
上述の視認部とは、プレーヤが操作面の外方より内部のＩＣコインを視認できるように設定した操作面側の特定の位置である。
【００１５】
この結果、装置内方で取扱われるＩＣコインをプレーヤに視認させる際は、このＩＣコインを保持するロータを回転させることにより、ロータと一体に移動するＩＣコインを視認に適した位置に導くことができる。
【００１６】
この視認部に導かれたＩＣコインはロータの一定速度の回転によって一瞬だけ見せるのではなく、比較的長く確認させることができる。例えば、ロータを視認部で停止させれば、より一層視認性を向上できる。
【００１７】
このように、遊技利用時には装置内部でのＩＣコインの存在をプレーヤが確認できるためプレーヤに対する信頼性の高い遊技利用を促進することができる。
【００１８】
上述の操作面に設けられる視認部の突出形状を、内方のロータと一体に回転するＩＣコインの移動軌跡に沿う円弧形突出窓に形成するので、ロータの回転する動きに適した円弧形の流動的な視認動作が得られる。
【００１９】
さらに、上述の円弧形突出窓の内面に、ロータの回転軌跡に沿ってＩＣコインの外周部を通過ガイドする円弧形凹溝を形成するので、ロータと一体に回転するＩＣコインを通過ガイドしながら安定して視認部に導くことができる。
【００２０】
このように、カードに代えて遊技利用に適したＩＣコインの利用を図っても、このＩＣコインの存在をプレーヤが装置の外方から容易に確認できる。
【００２１】
また、ＩＣコインを用いた場合は、装置内部でＩＣコインを保持するロータが回転移動式のためロータを中心とする周方向に、ＩＣコインの受入位置、情報処理位置、返却位置、視認位置など多くの処理対応位置をコンパクトに効率よく設けることができ、しかもロータの設置スペースは円形状の必要最小限で済むため、装置の小型化が図れる。
【００２２】
ことに、ＩＣコインは掌に把持し易い円形状を有しているためプレーヤは扱い易く、また耐久性に富むため、カードのように変形して情報の読取り・書込み不良を起こすこともなく、また破損する恐れがない。
【００２３】
また、プレーヤが遊技利用する操作面の視認部を透明部材によって設けた場合は、この視認部に導かれたＩＣコインは装置内部から装置外部に飛び出す如く突出部分に移動し、このとき突出部分に導かれたＩＣコインは外周面だけでなく平面部分も視認可能に表れるためＩＣコインの存在が一際目立ってプレーヤに視認させることができる。このため、プレーヤは外方から自然に視覚内に入ってくるＩＣコインの存在を容易に見ることができる。
【００２４】
このような遊技機用ＩＣコイン処理装置を内蔵して台間機を構成した場合は、この台間機で扱われるＩＣコインを遊技用のパチンコ球やメダルの払出し媒体に用いることができる。また、金額価値がなくなった使用済のＩＣコインを直ぐに回収せずにリサイクル用に一旦貯留しておけば、ＩＣコイン発行用に再利用することができる。
【００２５】
【発明の実施の形態】
この発明の一実施の形態を以下図面に基づいて説明する。
図面は、遊技機用ＩＣコイン処理装置を含む遊技機システムを示し、図１は遊技機システムを示し、ホストコンピュータ１０に対して、複数の島Ａ１，Ａ２の遊技機１１（パチンコ遊技台１１ａ、スロット（パチスロ）遊技台１１ｂ）の一側に隣設した台間機１２（パチンコ用台間機１２ａ、スロット用台間機１２ｂ）が、ケーブル１３を介してデータの送受信を可能に接続し、またＩＣコイン発行機１４およびＩＣコイン精算機１５もケーブル１３を介して、データの送受信を可能に接続している。また、上述のホストコンピュータ１０は他のシステム、例えば営業管理用のホストコンピュータに接続することができる。
【００２６】
上述のパチンコ遊技台１１ａは、パチンコ球を遊技動体として遊技し、またスロット遊技台１１ｂは、メダルを遊技動体として遊技することは周知の通りである。
【００２７】
台間機１２は、遊技機１１（１１ａ，１１ｂ）に対応したパチンコ球などの遊技動体を払出すか、あるいはメダル枚数データを払出し、これらの払出し用媒体としてＩＣコインが利用される。
上述のＩＣコインは台間機１２に現金（紙幣）を投入することにより発行して、この発行したＩＣコインを使用することができると共に、前述のＩＣコイン発行機１４で発行したＩＣコインを使用することもできる。
【００２８】
なお、島Ａ１，Ａ２の端部には、遊技機１１に投入した現金（紙幣）を回収し、また、遊技機１１にプールしたＩＣコインがオーバフローした場合、これを回収する回収機１６を配設している。
【００２９】
前述のＩＣコイン発行機１４は、前述のＩＣコイン、すなわち、遊技機１１における遊技動体（パチンコ球）の払出し用媒体として使用するＩＣコイン（後述する）を発行し、この発行は現金（貨幣）の投入に基づいて、該現金の金額に対応する金額価値のデータをＩＣコインに記録して放出する。
【００３０】
前述のＩＣコイン精算機１５は、プレーヤが遊技を止めた際、使用したＩＣコインに金額価値が残っている場合、ＩＣコインを投入して、その残価値分の現金（紙幣または硬貨）を放出することによりＩＣコインの価値を清算する。
【００３１】
図２に示すように、前述のＩＣコイン２０は、全体形状（外観）を合成樹脂で偏平な円盤状、つまりコイン状に形成し、表裏両面は印刷面に設定して、例えば図２（Ａ）に示すように、図柄やホール名を示す文字を印刷（または刻設）している。
【００３２】
また、ＩＣコイン２０の内部には、図２（Ｂ）に示すように、電子モジュール２１を内蔵している。
【００３３】
図３は電子モジュール２１の回路構成（電子回路）を示し、制御回路２３は、例えばＣＰＵなどで形成されるような制御回路であって各回路装置を駆動制御し、整流回路２３ａはアンテナコイル２２が受けた電磁波の信号を整流し、定電圧回路２３ｂはアンテナコイル２２で発生した起電力で定電圧のＤＣ電源を生成して各回路に供給する。
【００３４】
復調回路２３ｃは整流回路２３ａからの信号をデジタルデータに復調し、クロック発生回路２３ｄはデータ処理に使用するクロックパルスを発生し、変調回路２３ｅは送信するためのデジタルデータを送信可能な信号に変調する。
【００３５】
ＥＥＰＲＯＭ２３ｆは不揮発性の記憶媒体であって、データを読出し可能に記憶する。
【００３６】
前述の制御回路２３は、アンテナコイル２２に信号を受信すると、復調回路２３ｃが復調したデータを解読し、このデータにしたがってＥＥＰＲＯＭ２３ｆに対するデータの記憶または読出しを実行し、送信するデータは変調回路２３ｅで変調して、アンテナコイル２２を介して送信制御する。
【００３７】
なお、上述の制御回路は、ＣＰＵに加えて処理プログラムを格納するＲＯＭや処理データを記憶するＲＡＭを用いることもできる。
【００３８】
図４は、上述のＥＥＰＲＯＭ２５の記録エリアに記録されるデータを示し、記録エリアはデータの書換えが不可能なシステムエリアと、データの書換えが可能なデータエリアとを設定し、システムエリアには、ユニーク番号と、ホール番号とを記録し、データエリアには、金額（または度数）と、日付（発行日）と、書込み回数とのデータを記録している。
【００３９】
上述のシステムエリアのユニーク番号データは、各ＩＣコインに割り当てられた番号で、大きな桁数で設定することができるので、他のＩＣコインと番号が重合することが避けられ、このユニーク番号を管理することで不正使用を防止することができる。また、システムエリアのホール番号データは、ＩＣコイン２０の使用を可能にした遊技ホールを示す番号であって、これらの番号を遊技ホール毎に対応させて管理することにより信頼のあるセキュリティが得られる。
【００４０】
前述のデータエリアの金額は、発行時に投入された貨幣の金額価値データであり、日付データはＩＣコイン２０に金額データを記録して発行した発行日、書込み回数データは、データを書き込んだ回数データであって、これらのデータは使用の度に書換えられる。なお、金額のデータに替えて、可能な払出しの回数を示す度数データを価値データとすることもできる。また、書込み回数はＩＣコインの使用限界を設定したとき、この回数で規制することができる。
【００４１】
次に、上述のＩＣコイン２０の利用に際して、パチンコ用台間機１２ａとスロット用台間機１２ｂとはＩＣコイン２０の処理が同一構造であるため、以下、図５に示すスロット用台間機１２ｂに適用した場合について説明する。
【００４２】
上述のスロット用台間機１２ｂは台間スペースに適した狭幅でスロット遊技台１１ｂと同高さの縦長形状を有し、その前面の操作面５１の上部より下部にかけて電源ランプ５２と、紙幣挿入口５３と、度数表示器５４と、コイン投入口５５と、コイン確認部５６と、返却口５７と、返却ボタン５８と、施錠装置５９とを、この順に配設している。
【００４３】
上部側の電源ランプ５２は、点灯・消灯させて、現在の台間機１２ｂの利用可否状態を表示案内する役目を有している。
【００４４】
その下部の紙幣挿入口５３は、紙幣を１枚ずつ受入れ許容する開口部を有し、ここに例えば千円札が挿入され、内方には紙幣処理装置を備えて挿入された紙幣の真偽判別、金種判別を行い、有効な紙幣を識別したときは受付け許容して紙幣を内部に取込み、後述するＩＣコインの発行を行う。一方、無効と判別したときは受付け拒否して紙幣を紙幣挿入口５３より返却する。
【００４５】
続いて、紙幣挿入口５３の下方に位置する度数表示器５４は、ＩＣコインの金額価値の有効残度数の情報を表示し、この表示機能を持たせることにより、プレーヤは遊技状況が明確に判り、プレーヤに対するサービス性を高めている。
【００４６】
さらに、その下部のコイン投入口５５は、ここに投入されるＩＣコインの１枚の受付けを可能にしている。このコイン投入口５５と連通する内方に、後述するＩＣコイン処理装置６１が内蔵されており、ここにＩＣコインを導いてデータ処理する。
【００４７】
その下部に位置するコイン確認部５６は、内部で処理されるＩＣコインの存在を外部からプレーヤに視認させる透明の突出させた円弧形突出窓であり、プレーヤ側より確認可能な前面の位置に設定する。このような確認機能を持たせることにより、プレーヤにＩＣコインの発行状態を確認させることができ、プレーヤに安心感のある遊技を提供できる。
【００４８】
さらに、その下部の返却口５７には、返却ボタン５８の押下操作に連動して、ここにＩＣコインが返却される。さらに、その下部に返却ボタン５８が位置して、同ボタン５８の押下操作に連動してＩＣコインを下方の返却口５７より返却させる。
【００４９】
そして、最下部の施錠装置５９は台間機１２ｂの内方に設けられる回収箱の開閉に用いられる。
【００５０】
また、遊技機側には払出しボタンが備えられており、この払出しボタンがプレーヤにより押下操作されることに連動して、ＩＣコインに記録されている金額価値データが減額され、消費された払出し回数分のメダル枚数データが例えば使用対象のスロットマシン遊技機のデータ制御部へと払出される。
【００５１】
上述の台間機１１は、遊技機１１ｂ，１１ｂ…に対応したメダル枚数データを払出し、これらの払出し用の価値媒体としてＩＣコインが用いられる。パチンコ台の場合はパチンコ球が払出される。
【００５２】
上述のＩＣコインは、台間機１２ｂに紙幣を投入することにより発行し、これ以外にＩＣコイン発行機で発行したＩＣコインを使用することもできる。
【００５３】
ここに用いられるＩＣコインは、全体形状を合成樹脂で偏平な円盤状（コイン状）に形成し、表裏両面は印刷面に設定して金額価値を示す文字を印刷している。
【００５４】
また、ＩＣコインの内部には電子モジュールを内蔵しており、この電子モジュールに形成される回路構成に、不揮発性で消去・再書込み可能なＥＥＰＲＯＭを備えて金額価値データ、日付データ、書込み回数データなどを記録する。また、Ａ／Ｄ変換器とアンテナとを備えて通信手段を構成しており、この通信手段により台間機１２ｂにＩＣコインが投入されたとき、このＩＣコインは台間機側の通信手段と非接触状態でデータの送受信が実行される。
【００５５】
図６は台間機１１の内方に組込まれるＩＣコイン処理装置６１を示し、このＩＣコイン処理装置６１は正逆転自由に回転するロータ６２と、このロータ６２を内蔵するケーシング６３とから構成される。
【００５６】
上述のロータ６２は、円板の外周面上の１か所の位置に、ＩＣコイン受入れ用にＵ字形に凹部形成したコインホルダ６４を開口して設け、回転中心位置に取付けた回転軸６５がケーシング６３の内部に対応して設けられる図示しない軸受部に軸支されて、正逆転自在に回転許容されている。
【００５７】
また、ロータ６２の背面側の外周内面にはロータギヤ６６を一体に螺刻しており、ここに後述するケーシング側のギヤが接続されてロータ６２に回転力が伝達される。
【００５８】
上述のケーシング６３は、ロータ６２の両面と外周面とを囲む如く対応する円形の収納空間を内部に有し、このうちロータ６２のコインホルダ６４と対応する回転軌跡上の右斜め上方位置を、上述したコイン投入口５５と対向し、投入されたＩＣコイン２０を受入れ可能な受入口６７を開口している。
【００５９】
この受入口６７に対しては、シャッタソレノイド６８により受入口６７を開閉操作する投入口シャッタ６９を備えており、ここに投入されるＩＣコインの１枚の受付けを可能にしている。
【００６０】
また、コインホルダ６４と対応するロータ６２の回転軌跡上の図６における左斜め上方位置を、押上通路７０と連通し、かつ該通路７０に向けてＩＣコイン２０を押上げて貯留する押上口７１を開口している。
【００６１】
この押上通路７０は、押上口７１と対向する斜め上方にＩＣコイン２０を押上げて上下方向に一列に複数枚貯留可能な縦長の通路スペースを形成している。このため、押上通路７０内には予め定められた一定枚数を貯留することができ、プレーヤの発行要請に応じてＩＣコインを発行許容している。
【００６２】
さらに、コインホルダ６４と対応するロータ６２の回転軌跡上の図６における右斜め下方位置を、上述した返却口５７とは内部返却口７２を介して垂直方向に連通し、返却すべきＩＣコイン２０を内部返却口７２より落下させて、外部の返却口１８に返却させる。
【００６３】
このようにロータ６２の回転軸６５を中心とする円周上の位置に、受入口６７と押上口７１と内部返却口７２とがそれぞれ対応し、ロータ６６を回転制御して位置決め対応させることができる。
【００６４】
このうち、コインホルダ６４が対応する受入口６７との対向位置を受入位置に設定し、押上口７１と対向する位置を押上位置に設定している。
【００６５】
また、コインホルダ６４が真上に向いて対応する位置には、ロータ６２に取込んだＩＣコイン２０に非接触でデータの読取り・書込みを行うＲ／Ｗ（リーダライタ）７３を設置して、ここでＩＣコインの金額価値情報を読取り、書込み処理して情報処理を行う情報処理位置に設けている。
【００６６】
また、コインホルダ６４が対応する内部返却口７２との対向位置を返却位置に設定し、上方の受入位置と下方の返却位置との間でコイン確認部５６と対応する位置を確認位置に設定している。
【００６７】
上述のロータ６２の回転駆動に際しては、駆動モータＭの駆動ギヤ７４と、既述したロータギヤ６６との間を、第１、第２中間ギヤ７５，７６を噛合させて動力伝達し、駆動モータＭの正逆転駆動に基づいてロータ６２は正逆転される。
【００６８】
ところで、ロータ６２に保持されるＩＣコイン２０は下面半周円が自重によりコインホルダ６４の凹部に保持された状態にあり、ＩＣコイン２０を保持した状態ではホームポジションの位置（図６に示すコイン受入位置）Ｐ1 から図中左側に、情報処理位置Ｐ2 と押上位置Ｐ3 まで保持回転可能であり、図中右側には確認位置Ｐ4 と返却位置Ｐ5 と回収位置Ｐ6 までの範囲で保持回転許容し、押上位置Ｐ3 から正回転方向（図中反時計方向）の返却位置Ｐ5 までの範囲はＩＣコイン２０の非処理領域に設定して、押上位置Ｐ3 からロータを正回転させるとＩＣコイン２０は押上げられて押上通路７０に押上げ動作することになり、一方、返却位置Ｐ5 には下側にケーシング６３の外方からケーシング６３の内方に向けて出没自在の落下規制板７７を配設しており、この落下規制板７７は通常はケーシング６３内に突出して、返却位置Ｐ5 に導かれたＩＣコイン２０を落下規制した状態にあり、図示しないソレノイドの駆動操作に基づいて出没動作し、没入させた時点で落下規制解除されたＩＣコイン２０がコインホルダ６４から外れ、下方の内部返却口７６から返却口５７へと落下する。
【００６９】
さらに、返却位置Ｐ5 から逆回転方向（図中時計方向）に回転させると、ＩＣコイン２０は回収位置Ｐ6 に移動し、その下方に開口した回収口７８より回収される。
【００７０】
次に、ロータ６６のコインホルダ６４の回転停止位置を制御する手段を示す。このロータ６２の回転制御に際しては、受入位置に導かれたＩＣコインの有無を検知するコイン受入検知センサＳ1 と、その受入位置をホームポジションとするホームポジション検知センサＳ2 と、押上通路７０内のＩＣコインの有無を検知するコイン貯留検知センサＳ3 と、ロータの回転位置を検知するロータ回転位置検知センサＳ4 とを配設し、これらのセンサ信号に基づいてロータ６２を回転制御する。
【００７１】
このうち、ロータ回転位置検知センサＳ4 は円周上を４等分した位置に相当する情報処理位置、押上完了位置、確認位置、返却位置との４方向の位置を検知する。図中、７９はセンサ検出スリット、８０は紙幣を示す。
【００７２】
図７はコイン投入口５５とコイン確認部５６とを示し、先ず、コイン投入口５５は前面の垂直な操作面５１より一部上向きに傾斜突出させた位置にコイン投入口５５を開口してプレーヤによるＩＣコインの投入操作性を高めている。
【００７３】
次に、コイン確認部５６はコイン投入口５５と同じく垂直な操作面５１より前面にＩＣコイン視認促進用に円弧形突出窓５６ａを透明パネルにて突出させている。この円弧形突出窓５６ａはロータ６２に保持されて一体に回転するＩＣコイン２０の外周部の移動軌跡に沿って形成している。
【００７４】
ところで、上述のＩＣコイン２０はロータ６２のコインホルダ６４に該ＩＣコイン２０を保持させた状態でロータ６２を回動させれば、該ＩＣコイン２０をＩＣコイン確認部５６に容易に導くことができる。
【００７５】
この場合、図８に示すように、上述の円弧形突出窓５６ａの内面に、ロータ６２の回転軌跡に沿ってＩＣコイン２０の外周部を通過ガイドする円弧形凹溝５６ｂを形成しており、この円弧形凹溝ｔ６ｂ内にロータと一体に回転するＩＣコイン２０を通過ガイドさせることにより、ＩＣコイン２０を安定して視認位置に導くことができ、このロータ６２の回転する動きに適した円弧形の流動的な視認動作が得られる。この確認位置Ｐ4 へのロータ６２の回転動作は、低速回転してもよく、また確認位置Ｐ4 でロータ６２を一時的に停止させて一定時間視認させれば、より一層視認性を高めることができる。
【００７６】
このように、プレーヤが遊技利用する操作面５１のコイン確認部５６をプレーヤの手前側に突出して設けることにより、このコイン確認部５６に導かれたＩＣコイン２０は装置内部から装置外部に飛び出す如く突出部分に移動し、このとき突出部分に導かれたＩＣコインは外周面だけでなく平面部分も視認可能に表れるためＩＣコインの存在が一際目立ってプレーヤは明瞭に視認することができる。このため、プレーヤは外方から自然に視覚内に入ってくるＩＣコインの存在を容易に見て確認することができる。
【００７７】
次に、台間機１２ｂに内蔵されるＩＣコイン処理装置６１の処理動作を図９〜図１２の動作説明図を参照して説明する。
図９はロータ６２の回転によるＩＣコインの受入動作を示し、通常、ＩＣコイン処理装置６１は、図９（Ａ）に示すように、ロータ６２のコインホルダ６４が受入位置Ｐ1 に待機して、コイン投入口５５から投入されるＩＣコイン２０を受入れ可能な斜め上向きに開口した受入れ待機状態にある。
【００７８】
この待機状態で、今、プレーヤが紙幣挿入口５３に遊技すべき金額分の紙幣（例えば千円札）を挿入した場合、図９（Ｂ）に示すように、直ちにロータ６２を正回転させてコインホルダ６４をコイン発行用の押上位置Ｐ3 に位置決めして回転停止させる。
【００７９】
このロータ６２の移動完了後に、上方の押上通路７０からは自重によりストックされているＩＣコイン２０の１枚が降下して、その下方の斜め上向きに対向するコインホルダ６４内に収納される。
【００８０】
続いて、ロータ６２を逆回転させて、図９（Ｃ）に示すように、コインホルダ６４を情報処理位置Ｐ2 に移動させ、移動完了後のＩＣコイン２０に対して、Ｒ／Ｗ７３より入金分のデータを記録させ、記録完了後は、図１０（Ａ）に示すように、ロータ６２を逆回転させて保持されたＩＣコイン２０をコイン確認部５６へと回動させてプレーヤに確認させる。
【００８１】
このとき、コイン確認部５６に導かれたＩＣコイン２０は装置内部から装置外部に飛び出す如く円弧形突出窓５６ａに移動し、このとき円弧形突出窓５６ａに導かれたＩＣコインは外周面だけでなく平面部分も視認可能に表れるためＩＣコインの存在が一際目立ってプレーヤが視認することができる。また、この視認位置に導かれたＩＣコイン２０を一瞬ではなく、一定時間停止させるなど比較的長く視認させることができ、遊技利用されるＩＣコインの存在をプレーヤが明瞭に確認できるためプレーヤに対する信頼性の高い遊技利用を促進できる。
【００８２】
ＩＣコインの確認動作後は、再び、図１０（Ｂ）に示すように、情報処理位置Ｐ2 に戻して待機し、その後、プレーヤによる払出し操作に基づいてＩＣコインから金額価値情報を減算し、払出しデータを出力させてプレーヤに遊技利用を開始させる。
【００８３】
遊技途中でプレーヤが遊技を止める場合は、ＩＣコインを返却すべく、後述する返却動作を実行する。また、ＩＣコインの金額価値がなくなった場合は、ＩＣコインを回収すべく後述する回収動作を実行するものである。
【００８４】
さらに、ＩＣコイン２０を押上通路７０に貯留させる場合は、図１０（Ｃ）に示すように、ロータ６２を正回転させてＩＣコインを保持したコインホルダ６４の位置を押上位置（貯留開始位置）Ｐ3 に移動させればよく、このときはコインホルダ６４に下半周面が保持されているＩＣコイン２０が押上口７１との対向位置に導かれた時点で押上通路７０に対してロータ６２の回転方向が略直角になり、ＩＣコイン２０の上半周面がコインホルダ６４より、はみ出しているため押上通路７０の一壁面に当接し、そのままロータ６２を正回転させることによりＩＣコイン２０はロータ６２の外周面にて押し上げられる。これにより、ＩＣコイン２０が押上通路７０に貯留される。
【００８５】
押上動作後は、ロータ６２を正回転させてコインホルダ６４をホームポジションの位置Ｐ1 に戻して、次のＩＣコイン２０の処理に備える。
【００８６】
次に、ＩＣコインの返却、回収処理動作を図１１のロータ回転動作状態を参照して説明する。
今、遊技途中でプレーヤが遊技を止めるべく、返却ボタン５８を押下操作すると、これに基づいてロータ６２は、図１１（Ａ）に示すように、逆回転してロータのコインホルダ６４が返却位置Ｐ5 との対応位置まで回転し、さらに落下規制板７７を開操作することにより、ＩＣコイン２０は下方の内部返却口７２を通過して、その下方の返却口５７へと返却される。
【００８７】
次に、遊技利用されてＩＣコインの金額価値がなくなった場合は、この無価値の信号に基づいてロータが逆回転し、図１１（Ｂ）に示すように、コインホルダ６４が下方の回収位置Ｐ6 と対応する位置まで回転する。これによりＩＣコイン２０は自重にてコインホルダ６４より離れ、下方の回収口７８に落下して回収される。
【００８８】
次に、ＩＣコインの投入処理動作について説明する。
今、図１２（Ａ）に示すように、コイン投入口５５の内方には、ロータのコインホルダ６４がホームポジションの受入位置Ｐ1 に待機して、ＩＣコイン２０を受入可能な斜め上向きに開口した受入待機状態にある。
【００８９】
この待機状態で、台間機１２ｂのコイン投入口５５にＩＣコイン２０が投入されると、投入口シャッタ６９を閉じて連続投入を規制し、ＩＣコイン２０は内方のケーシング６３の受入口６８の位置に導かれ、これより、図１２（Ｂ）に示すように、内方の受入位置Ｐ1 に待機するコインホルダ６４に受入れられる。
【００９０】
この投入されたことを、コイン受入検知センサＳ1 が検知すると、これに基づいて駆動モータＭを駆動して、図１２（Ｃ）に示すように、投入されたＩＣコイン２０を情報処理位置Ｐ2 に移動させる。この情報処理位置Ｐ2 に導かれたＩＣコイン２０のデータをＲ／Ｗ７３が読取り、有効なＩＣコインか否かを判定する。
【００９１】
有効と判定すると、図１０（Ａ）に既述したように、ロータ６２を逆回転させてコインホルダ６４に保持されたＩＣコイン２０をコイン確認部５６へと回動させてプレーヤに確認させた後、再び情報処理位置Ｐ2 に戻して払出し待機させる。
【００９２】
その後、プレーヤにより払出しボタンが押下されると、押下回数分の払出しデータが、ＩＣコイン２０から減算されて遊技機１２ｂ側に出力される。例えば、１回押す毎に５００円分のデータを出力する。
【００９３】
このように払出し時には、プレーヤの払出し要請量に応じた金額をＩＣコイン２０から減額処理される。またこのとき、度数表示器５４には投入されたＩＣコイン２０の有効残度数が表示される。
【００９４】
その後、減額処理が繰り返されてＩＣコイン２０の金額価値データが零（０円）になり、価値がなくなると、使用回数（書込み回数）がチェックされ、予め設定された使用回数を越えた場合は、既述した図１１（Ｂ）に示す回収動作が行われる。また、使用回数が所定値に達していない場合は押上通路７０の貯留位置に移動させて、ＩＣコインのリサイクル利用を図るものである。
【００９５】
ところで、投入されたＩＣコインのコインデータをＲ／Ｗ７３が読取ったときに、ＩＣコイン以外の適用外の硬貨、メダル、偽造コインなどの識別不良コインが投入されたと判定した場合は、ロータ６２を逆回転させてコインホルダ６４の位置を、図１１（Ａ）に示すように、返却位置Ｐ5 に導いて識別不良コインを返却処理する。
【００９６】
また、遊技途中でプレーヤが遊技利用を中止するために返却ボタン５８を押下操作した場合も、同様に上述のＩＣコイン２０の返却動作が行われる。
【００９７】
図１３はコイン確認部の他の実施の形態を示し、このコイン確認部１３１は円弧形突出窓１３２の周辺の操作面を垂直面より、さらに内向きの凹状に弯曲形成した凹状操作面１３３を形成したものである。
【００９８】
この場合は、円弧形突出窓１３２の突出量および露出面が大きくなり、より一層プレーヤからの視認性が向上する。さらに、この凹状操作面１３３を鏡面にすることもでき、この場合はＩＣコインの視認面積が増えて、より確実にＩＣコインの視認性を高めることができる。
【００９９】
上述のように、プレーヤが遊技利用する操作面のコイン確認部をプレーヤの手前側に突出して設けることにより、このコイン確認部に導かれたＩＣコインは装置内部から装置外部に飛び出す如く円弧形突出窓に移動し、このとき円弧形突出窓に導かれたＩＣコインは外周面だけでなく平面部分も視認可能に大きく表れるためＩＣコインの存在が一際目立ってプレーヤに明瞭に視認させることができる。このため、プレーヤは外方から自然に視覚内に入ってくるＩＣコインの存在を容易に見ることができる。
【０１００】
この発明の構成と、上述の一実施の形態の構成との対応において、
この発明の視認部は、実施の形態のコイン確認部５６，１３１に対応し、
以下同様に、
台間機は、パチンコ用台間機１２ａとスロット用台間機１２ｂに対応し、
投入口は、コイン投入口５５に対応するも、この発明は上述の一実施の形態の構成のみに限定されるものではなく、多くの実施の形態を得ることができる。
【０１０１】
例えば、上述の一実施の形態では紙幣を例にとって示したが、これに限らず、硬貨（５００円玉）を用いても同様に適用することができる。
【０１０２】
【発明の効果】
この発明によれば、装置内部に存在するＩＣコインを装置外方に飛び出させる如く導いて視認させることができるため、装置の外方からＩＣコインの存在が一際目立ち、ＩＣコインの視認性を十分に高めることができる。
【図面の簡単な説明】
【図１】  遊技機システムを示す概略構成図。
【図２】  ＩＣコインの一例を示す説明図。
【図３】  電子モジュールの回路構成を示すブロック図。
【図４】  ＥＥＰＲＯＭに記録されるデータの説明図。
【図５】  台間機の配設状態および操作面側を示す外観斜視図。
【図６】  ＩＣコイン処理装置の内部構造を示す縦断側面図。
【図７】  コイン確認部の外面側を示す要部拡大斜視図。
【図８】  コイン確認部の内面側を示す要部拡大斜視図。
【図９】  現金投入によるＩＣコインの発行処理動作を示す説明図。
【図１０】  図９に続く説明図。
【図１１】  ＩＣコインの返却と回収の処理動作を示す説明図。
【図１２】  投入されたＩＣコインの処理動作を示す説明図。
【図１３】  他の実施の形態のコイン確認部を示す要部拡大斜視図。
【符号の説明】
１２，１２ａ，１２ｂ…台間機
１１，１１ａ，１１ｂ…遊技機
２０…ＩＣコイン
５１…操作面
５５…コイン投入口
５６，１３１…コイン確認部
５６ａ，１３２…円弧形突出窓
５６ｂ…円弧形凹溝
６１…ＩＣコイン処理装置
６２…ロータ
６４…コインホルダ
【図１】
0004471523.tif 000002
【図２】
0004471523.tif 000003
【図３】
0004471523.tif 000004
【図４】
0004471523.tif 000005
【図５】
0004471523.tif 000006
【図６】
0004471523.tif 000007
【図７】
0004471523.tif 000008
【図８】
0004471523.tif 000009
【図９】
0004471523.tif 000010
【図１０】
0004471523.tif 000011
【図１１】
0004471523.tif 000012
【図１２】
0004471523.tif 000013
【図１３】
0004471523.tif 000014